(57)【特許請求の範囲】
【請求項１】
液体（３）を収容するように構成される貯液室（１１）が内蔵される本体部（１）と、
精油を収容するように構成される貯油管（５）と、
を備え、
正常に動作している場合、前記貯液室（１１）内の前記液体（３）の消耗に従って前記貯油管（５）における前記精油が前記貯油管（５）の底部から前記貯液室（１１）に流れ込むように、前記貯油管（５）の底部が前記貯液室（１１）に連通し、
正常に動作している場合、前記液体（３）上方の空気と前記精油上方の空気とが連通し、
前記貯液室（１１）内の前記液体（３）を前記精油と共に霧化して放出する、アロマディフューザー。
【請求項２】
前記貯油管（５）の底部は、前記貯液室（１１）の所定の最低液位の近傍に設置される、請求項１に記載のアロマディフューザー。
【請求項３】
前記貯油管（５）は上下貫通である、請求項１または２に記載のアロマディフューザー。
【請求項４】
前記本体部（１）内に、前記貯油管（５）を固定するように構成される固定フレーム（７）が設けられる、請求項１、２または３に記載のアロマディフューザー。
【請求項５】
前記貯油管（５）の底部に前記貯油管（５）のチャンバー（２）を封止するための第１の封止部材（６１）が設けられ、前記固定フレーム（７）の底部に第１の刺込部材（７１）が設けられ、
前記貯油管（５）が前記固定フレーム（７）に固定されると、前記第１の刺込部材（７１）は、前記第１の封止部材（６１）を刺し込み、前記貯油管（５）の前記チャンバー（２）と前記貯液室（１１）とを連通させる、請求項４に記載のアロマディフューザー。
【請求項６】
前記第１の刺込部材（７１）は、刺込ヘッドと、前記刺込ヘッドに連結される本体とを備え、前記刺込ヘッドの先端部がテーパ状となり、且つ、前記刺込ヘッドの断面の最大幅が前記本体の断面の最大幅よりも大きくすることにより、前記第１の刺込部材（７１）が前記第１の封止部材（６１）を刺し込んだ後に、前記チャンバー（２）は、前記第１の刺込部材（７１）の外郭において前記貯液室（１１）と連通する、請求項５に記載のアロマディフューザー。
【請求項７】
前記貯油管（５）の先端部に、前記チャンバー（２）を封止するための第２の封止部材（６２）が設けられ、
前記アロマディフューザーは、天蓋（８）をさらに備え、前記天蓋（８）が前記本体部（１）に取り付けられて前記固定フレーム（７）の上方に位置し、且つ、前記天蓋（８）の底部に、前記アロマディフューザーの正常動作のときに前記第２の封止部材（６２）を刺し込むように構成される第２の刺込部材（８１）が設けられる、請求項５に記載のアロマディフューザー。
【請求項８】
前記天蓋（８）は押圧式のものであり、前記第２の刺込部材（８１）は、前記天蓋（８）が押圧されている場合に下方へ移動して前記第２の封止部材（６２）を刺し込み、前記天蓋（８）が押圧されていない場合に上方へ移動して前記第２の封止部材（６２）から離脱することができる、請求項７に記載のアロマディフューザー。
【請求項９】
前記天蓋（８）の底部に当接部（８２）が更に設けられ、
前記天蓋（８）が押圧されて下方へ移動すると、前記当接部（８２）は、前記貯油管（５）の先端部に当接し、前記第１の刺込部材（７１）が前記第１の封止部材（６１）を刺し込むように、前記貯油管（５）を押して下方へ移動させる、請求項８に記載のアロマディフューザー。
【請求項１０】
前記貯油管（５）の底部にスプリングバック装置が更に設けられ、
前記当接部（８２）が前記貯油管（５）の先端部に当接すると、前記スプリングバック装置は圧縮され、前記当接部（８２）が前記貯油管（５）の先端部から離れると、前記スプリングバック装置は前記貯油管（５）を連れて上方へ移動させ、前記第１の刺込部材（７１）から離脱させる、請求項９に記載のアロマディフューザー。
【請求項１１】
前記貯油管（５）の側壁が前記本体部（１）の側壁に固定連結され、または、前記貯油管（５）の先端部が前記本体部（１）の天壁の内側に固定連結される、請求項１、２または３に記載のアロマディフューザー。
【請求項１２】
前記貯油管（５）の構造は円柱状または漏斗状である、請求項１または１１に記載のアロマディフューザー。
【請求項１３】
前記貯油管（５）内の精油の液面は、前記貯液室（１１）における液体（３）の液面よりも高い、ことを特徴とする請求項１または２に記載のアロマディフューザー。
【請求項１４】
前記液体（３）と前記精油が相溶しない、ことを特徴とする請求項１または２に記載のアロマディフューザー。
【請求項１５】
前記液体（３）が水である、ことを特徴とする請求項１４に記載のアロマディフューザー。
【請求項１６】
請求項１から１５のいずれか１項に記載のアロマディフューザーに適用される給油方法であって、
貯液室（１１）における液体の液位を貯油管（５）の底部と前記貯油管（５）の所定の最高油位との間に位置させるように、前記貯液室（１１）に液体を入れることと、
前記貯油管（５）における精油（４）の油位を前記貯液室（１１）における前記液体の液位よりも高くするように、前記貯油管（５）内に精油（４）を入れることと、
を含み、
正常に動作している場合、前記貯液室（１１）内の液体（３）の消耗に従って前記貯油管（５）中の精油が前記貯油管（５）の底部から前記貯液室（１１）に流れ込むように、前記貯油管（５）の底部が前記貯液室（１１）に連通する、給油方法。
【請求項１７】
前記アロマディフューザーは、前記貯油管（５）のチャンバー（２）を封止するための第１の封止部材（６１）を更に備え、前記貯油管（５）における前記精油（４）の油位が前記貯液室（１１）中の前記液体の液位よりも高くなると、前記精油（４）が前記貯油管（５）の底部から前記貯液室（１１）内に流れ込むように、前記第１の封止部材（６１）を刺し込むことを更に含む、請求項１６に記載の給油方法。
【発明の詳細な説明】
【技術分野】
【０００１】
本開示は、空気調和装置の技術分野に関し、例えば、アロマディフューザーおよび給油方法に関する。
【背景技術】
【０００２】
アロマディフューザーは、芳香器の１つであり、一般的に、超音波振動等の高周波振動で精油が混ざっている水を霧化してから空気中に放出し、香りを空気中に拡散する。
【０００３】
アロマディフューザーは、一般的に油を滴下する方式で精油を供給し、すなわち、精油を一気に水に滴下する。精油の密度が水の密度よりも低いため、精油がアロマディフューザーの水タンクに滴下された後に水面に浮く。アロマディフューザーの動作時に、精油が水と共に霧化されて放出されるため、水タンク内の精油の濃度は動作時間の増加に従ってますます低下し、霧化されて放出されたガスの香りの濃度はますます薄くなり、使用体験が悪い。
【発明の概要】
【発明が解決しようとする課題】
【０００４】
本出願は、アロマディフューザーの貯液室に精油を安定して持続的に供給し、精油の濃度の変動を低減し、使用体験を向上させることができるアロマディフューザーを提供する。
【課題を解決するための手段】
【０００５】
本出願は、
液体を収容するように構成される貯液室が内蔵される本体部と、
精油を収容するように構成される貯油管と、
を備え、
正常に動作している場合、貯液室内の液体の消耗に従って貯油管における精油が貯油管の底部から貯液室に流れ込むことができるように、貯油管の底部が貯液室に連通している、アロマディフューザーを提供する。
【０００６】
一実施例において、貯油管の底部は、貯液室の所定の最低液位の近傍に設置される。
【０００７】
一実施例において、貯油管は上下貫通である。
【０００８】
一実施例において、本体部に、貯油管を固定するように構成される固定フレームが設けられる。
【０００９】
一実施例において、貯油管の底部に貯油管のチャンバーを封止するための第１の封止部材が設けられ、固定フレームの底部に第１の刺込部材が設けられ、
貯油管が固定フレームに固定されると、第１の刺込部材は、第１の封止部材を刺し込み、貯油管のチャンバーと貯液室とを連通させる。
【００１０】
一実施例において、第１の刺込部材は、刺込ヘッドと、刺込ヘッドに連結される本体とを備え、前記刺込ヘッドの先端部がちくり状となり、且つ、前記刺込ヘッドの断面の最大幅が前記本体の断面の最大幅よりも大きい。それにより、第１の刺込部材が第１の封止部材を刺し込んだ後に、チャンバーは第１の刺込部材の外郭において貯液室と連通する。
【００１１】
一実施例において、貯油管の先端部に、チャンバーを封止するための第２の封止部材が設けられ、アロマディフューザーは、本体部に取り付けられて固定フレームの上方に位置し、且つ、その底部に第２の封止部材を刺し込むための第２の刺込部材が設けられる天蓋を更に備える。
【００１２】
一実施例において、天蓋は押圧式のものであり、第２の刺込部材は、天蓋が押圧されている場合に下方へ移動して第２の封止部材を刺し込み、天蓋が押圧されていない場合に上方へ移動して第２の封止部材から離脱する。
【００１３】
一実施例において、天蓋の底部に当接部が更に設けられ、
天蓋が押圧されて下方へ移動すると、当接部は、貯油管の先端部に当接し、第１の刺込部材が第１の封止部材を刺し込むように、貯油管を押して下方へ移動させる。
【００１４】
一実施例において、貯油管の底部にスプリングバック装置が更に設けられ、
当接部が貯油管の先端部と当接すると、スプリングバック装置は圧縮され、当接部が貯油管の先端部から離れると、スプリングバック装置は貯油管を連れて上方へ移動させ、第１の刺込部材から離脱させる。
【００１５】
一実施例において、貯油管の側壁が本体部の側壁に固定連結され、または、貯油管の先端部が本体部の天壁の内側に固定連結される。
【００１６】
一実施例において、前記貯油管の構造は円柱状または漏斗状である。
【００１７】
本出願は、水に精油を安定して持続的に供給し、精油の濃度の変動を低減し、使用体験を向上させることができる給油方法を更に提供する。
【００１８】
本出願は、アロマディフューザーに適用され、
貯液室における水の水位を貯油管の底部と貯油管の所定の最高油位との間に位置させるように、貯液室に水を入れることと、
貯油管における精油の油位を貯液室における水の水位よりも高くするように、貯油室内に精油を入れることとを含む、給油方法を提供する。
【００１９】
本出願は、水に精油を安定して持続的に供給し、精油の濃度の変動を低減し、使用体験を向上させることができる給油方法を更に提供する。
【００２０】
本出願は、アロマディフューザーに適用され、
貯液室に水を入れることと、
精油が収容された貯油管を固定フレームに固定し、第１の封止部材が第１の刺込部材に刺し込まれるようにすることとを含み、
貯液室中の水の水位が貯油管の底部と貯油管の所定の最高油位との間に位置する、給油方法を提供する。
【００２１】
本出願は、水に精油を安定して持続的に供給し、水中の精油の濃度の変動を低減し、使用体験を向上させることができる給油方法を更に提供する。
【００２２】
本出願は、アロマディフューザーに適用され、
貯液室に水を入れることと、
精油が収容された貯油管を固定フレームに固定し、天蓋を本体部に取り付け、第１の封止部材が第１の刺込部材に刺し込まれ、第２の封止部材が第２の刺込部材に刺し込まれるようにすることとを含み、
貯液室中の水の水位が貯油管の底部と貯油管の所定の最高油位との間に位置する、給油方法を提供する。
【発明の効果】
【００２３】
本出願は、アロマディフューザーおよび給油方法を提供する。貯液室内に水等の液体が貯留され、貯油チャンバーに精油が貯留されると、貯油管の底部と貯液室とが連通するため、貯油管の底部に位置する精油は徐々に水に流れ込み、霧化に使用される。精油と水の相溶性が良くなく、且つ精油の密度が水の密度よりも低いため、ほとんどの精油が依然として水に支持されて貯油チャンバーに貯留することができる。使用中に、アロマディフューザーの水位がますます下降し、精油も重力の作用でますます下降して貯油管の底部から水に流れ込む。関連技術の油を滴下する方式と比べ、貯油管中の精油は、水位の下降に従って水に給油され続け、水中の精油の濃度の変動を低減し、霧化ガスの香りの濃度を安定させ、使用体験を向上させることができる。
【図面の簡単な説明】
【００２４】
【図１】本出願の一実施例に係る貯油管の構造模式図である。
【図２】本出願の一実施例に係るアロマディフューザーの貯油管を組み立てる時の模式図である。
【図３】本出願の一実施例に係るアロマディフューザーの動作時の構造模式図である。
【図４】本出願の一実施例に係るアロマディフューザーにおける精油と液体の受力分析の模式図である。
【図５】本出願の一実施例に係るアロマディフューザーの動作時の精油と液体の高さ変化図である。
【図６】本出願の別の実施例に係る貯油管の構造模式図である。
【図７】本出願の一実施例に係るアロマディフューザーの構造模式図である。
【図８】本出願の別の実施例に係るアロマディフューザーの構造模式図である。
【図９】本出願の別の実施例に係るアロマディフューザーの構造模式図である。
【符号の説明】
【００２５】
１−本体部、１１−貯液室、２−チャンバー、３−液体、４−精油、５−貯油管、６１−第１の封止部材、６２−第２の封止部材、７−固定フレーム、７１−第１の刺込部材、８−天蓋、８１−第２の刺込部材、８２−当接部。
【発明を実施するための形態】
【００２６】
以下、図面を参照しながら具体的な実施形態により、本出願の技術案を説明する。
【００２７】
本出願の説明において、「上」、「下」、「前」、「後」、「左」、「右」、「垂直」、「水平」、「先端」、「底」、「内」または「外」等の用語が指示する方位または位置関係は、図面に示す方位または位置関係に基づくものであり、本出願を説明しやすくするとともに説明を簡単化するためのものに過ぎず、示された装置または素子が限定された方位、限定された方位構造および操作を有することを示すまたは暗示するものではないため、本出願を制限するものであると理解すべきではない。
【００２８】
実施例１
図１〜図５に示すように、本実施例は、精油が混ざっている水等の液体を霧化してから空気に放出するように構成されるアロマディフューザーを提供する。アロマディフューザーは、本体部１と、精油４を収容するように構成される貯油管５とを備える。図２および図３に示すように、本体部１に、液体３を収容するように構成される貯液室１１が内蔵され、液体３は純水または精油が混ざっている水等の液体であってもよいし、他の液体であってもよく、ここでは限定しない。一般的には、アロマディフューザーが組み立て済み動作できると、貯油管５は、アロマディフューザーの構造全体をコンパクトにするように、本体部１の貯液室１１内に位置する。しかし、貯油管５自体は、本体部１と別体に設けられてもよく、本体部１と一体に設けられてもよい。本実施例において、貯油管５は、本体部１と別体に設けられ、図１に示すような管状構造となる。組み立てる時に、貯油管５が本体部１内に固定される。貯油管５は、チャンバー２によって精油４を収容し、底部が貯液室１１に連通し、精油４が貯油管５内から貯液室１１に流込できることを確保する。
【００２９】
本体部１に、霧化装置（図示せず）、例えば超音波アトマイザ等が更に設けられ、霧化装置は、貯液室１１における液体３または貯液室１１と連通する水タンクにおける液体３を霧化し、霧化で生じる霧を排気管（図示せず）によって外へ排出する。
【００３０】
アロマディフューザーを使用する時に、貯液室１１に水などの液体３を予め入れ、貯油管５に精油４を入れる必要がある。また、最後に、貯液室１１内の液体３の消耗に従って貯油管５中の精油が貯油管５の底部から貯液室１１に流れ込むように、貯油管５内の精油４の液面が貯液室１１に収容された液体３の液面よりも高いことを確保する必要がある。
【００３１】
図４を参照し、貯液室１１及び貯油管５に、それぞれ液体３および精油４を入れる時に、貯油管５内の精油４の液面が貯液室１１に収容された液体３の液面よりも高いことが既に確保され、且つ、精油４と液体３（本実施例において、液体３は主に水である）の相溶性がよくないため、精油４は急速に液体３に溶けることがなく、引き続き貯油管５に収容され得る。
【００３２】
貯油管５の底部が貯液室１１に連通し、貯油管５の底部において、精油４と液体３との接触領域を精油４の底面と見なすことができる。精油４の底面から精油４の液面（精油４の空気と接触する上面を指す）までの距離がｈ１であり、精油４の底面から液体３の液面（液体３の空気と接触する上面を指す）までの距離がｈ２である。関連する物理学知識の分析から、以下のものが得られる。
【００３３】
液体３上方の空気と精油４上方の空気とが連通せず、精油４の液面に対する空気からの圧力が大気圧ｐ1であり、液体３の液面に対する空気からの圧力も大気圧ｐ1であり、精油４の液面に対する空気からの圧力と液体３の液面に対する空気からの圧力とが同一であるため、精油４および液体３は、空気からの圧力が同じであり、作用が相殺される。一方、液体３と精油４の底面との間の圧力について、精油４の底面において、精油４に対する液体３からの圧力がｐ2＝ρ１ｇｈ２であり、液体３に対する精油４からの圧力がｐ3＝ρ２ｇｈ１である。ここで、ρ１が液体３の密度であり、ρ２が精油４の密度である。ｐ2＝ｐ3である場合、すなわち、ρ１ｇｈ２＝ρ２ｇｈ１である場合、精油４の高さは安定する。液体３の大部分が水であり、精油４の密度が液体３よりも小さく、すなわち、ρ１＞ρ２であり、対応してｈ２＜ｈ１であるため、精油４の高さは液体３の高さよりも高くなってもよく、その高さの差△ｈは液体３の密度と精油４の密度に依存する。
【００３４】
上記分析から更に分かるように、液体３がますます霧化されて消耗されることに従い、ｈ２がますます小さくなり、ｐ2がこれに従って小さくなり、ｐ2＜ｐ3となり、すなわち、精油４に対する液体３からの圧力が液体３に対する精油４からの圧力よりも小さくなり、つまり、液体３に対する精油４からの圧力が精油４に対する液体３からの圧力よりも大きくなる。これに従い、精油４は、再びバランスを取るまで下降し、貯液室１１に流れ込む。なお、Δｈ＝ｈ１−ｈ２＝（ρ１／ρ２−１）ｈ２であるため、ｈ２の減少に従い、△ｈも低減し、すなわち、液体３と精油４との間の高さの差はますます小さくなる。実際の測定において、液体３の高さと精油４の高さ（いずれも貯液室１１の底面を高さの原点とする）の霧化時間に従う変化は、図５に示される。ここで、ｓ１は精油４の高さの霧化時間に従う変化の曲線を示し、ｓ２は液体３の高さの霧化時間に従う変化の曲線を示す。
【００３５】
正常に動作している場合、貯油管５の底部と貯液室１１とが連通する。貯液室１１内に水等の液体３を入れ、貯油管５に精油４を入れ、且つ精油４の液面の高さが液体３の高さよりも高いことを最終的に確保した後、精油４と液体３の相溶性が悪いこと、および液体３の密度がより高いという特徴を利用することで、精油４を貯油管５に収容することを維持できる。アロマディフューザーの動作に従い、貯液室１１の液体３はますます霧化されて消耗され、液体３の液面はますます下降し、精油４の液面もますます下降し、底部に位置する精油４は貯液室１１に流れ込んで液体３と混ざれ、貯液室１１の液体３への持続的な給油を実現する。
【００３６】
上記のようにして、正常に動作している場合、液体３上方の空気と精油４上方の空気とが連通し、液体３の液面に対する空気からの圧力と精油４の液面に対する空気からの圧力とが同一であり、貯液室１１内の液体３の消耗に従って、精油４の底面において、液体３に対する精油４からの圧力が精油４に対する液体３からの圧力よりも大きくなり、これにより精油４が貯液室１１に流れ込む。もちろん、精油４が貯油管５の底面に届くまで、液体３に対する精油４からの圧力は、精油４の底面を貯油管５の底面へ押す。
関連技術の精油を水面に直接滴下することに比べると、本実施例のアロマディフューザーは、貯液室１１の液体３に安定して持続的に給油することができ、アロマディフューザーの使用中に、液体３中の精油４の濃度の安定を持続的に維持し、霧化されたガス中の精油の濃度の安定を維持し、使用時間の増加に従って精油の濃度が低くなることを回避する。
【００３７】
本実施例において、ユーザーが使用しやすいように、貯油管５は独立した部材であり、貯油管５のチャンバー２の底部に、チャンバー２を封止するための第１の封止部材６１が設けられ、チャンバー２の先端部に、チャンバー２を封止するための第２の封止部材６２が設けられる。精油４に腐食されないものであれば、貯油管５は、プラスチック、アルミニウムまたはガラス等の材料で作製されてもよい。また、好ましく、貯油管５が濃色または不透明な材料であり、内部精油４に対する光線の影響を回避する。貯油管５の両端をそれぞれ封止することができるものであれば、第１の封止部材６１および第２の封止部材６２は、アルミニウム膜、プラスチック膜または他の材料で作製されたものであってもよい。貯油管５のチャンバー２の両端がそれぞれ封止され、精油４を予めチャンバー２に入れてからチャンバー２の両端を封止することができる。使用時に、ユーザーは貯油管５をそのまま携帯または貯蔵することができ、本体部１内の貯油管５が切れると、新しい貯油管５を直接交換すればよく、精油の携帯性を大きく向上させ、使いやすい。
【００３８】
貯油管５を本体部１に固定できるために、本体部１内に固定フレーム７が設けられ、固定フレーム７で貯油管５を固定する。固定フレーム７は、貯油管５を挟持するクリップ等のような挟持機構であってもよい。固定フレーム７は、１つの貯油管５を収容できる収容穴を有するように構成されてもよく、収容穴と貯油管５との間は緊密係合を採用してもよい。固定フレーム７は、自体が貼り付けまたは締結具による固定等の方式で本体部１に固定されてもよい。
【００３９】
貯油管５で精油を保管する時に、チャンバー２の両端を封止し、アロマディフューザーの動作時に、チャンバー２における精油４が貯液室１１内にスムーズに円滑に流れ込むように、チャンバー２の両端を導通させ、チャンバー２の上端および貯液室１１における空気を連通させる必要がある。チャンバー２の底部の第１の封止部材６１を刺し込むように、固定フレーム７に第１の刺込部材７１を設けてもよい。第１の刺込部材７１は、端部が比較的鋭い刺針であってもよく、貯油管５の底部に位置する。貯油管５が固定フレーム７に固定されると、第１の刺込部材７１は、第１の封止部材６１を刺し込んでチャンバー２と貯液室１１とを連通させることができる。チャンバー２の先端部の第２の封止部材６２を刺し込むように、本体部１は、固定フレーム７の上方に天蓋８を設け、天蓋８の底部に第２の刺込部材８１が設けられ、貯油管５が固定フレーム７に固定されて天蓋８が本体部１に取り付けられると、第２の刺込部材８１は、チャンバー２の上端および貯液室１１における空気を連通させるように、第２の封止部材６２を刺し込むことができる。使用の時に、第１の刺込部材７１と第２の刺込部材８２との協働により、貯油管５の両端を非常に容易に刺し込むことができる。
【００４０】
本実施例において、天蓋８は、押圧式のものであってもよい。第２の刺込部材８１は、天蓋８が押圧されている場合に下方へ移動することができ、天蓋８が押圧されていない場合に上方へ復帰することができる。天蓋８が本体部１に取り付けられると、第２の刺込部材８１は第２の封止部材６２に接触せず、外部から天蓋８を下へ押圧すると、第２の刺込部材８１は、それに従って下に向かって第２の封止部材６２を刺し込み、その後、第２の刺込部材８１は復帰して貯油管５から離脱し、上部の刺込穴を塞ぐことを回避することができる。
【００４１】
第１の刺込部材７１が第１の封止部材６１を容易に刺し込むことができるために、本実施例において、天蓋８の先端部に当接部８２を更に設けてもよい。天蓋８が下へ押圧されると、当接部８２はそれに従って下降して貯油管５の先端部に当接し、貯油管５を押して下方へ移動させ、第１の刺込部材７１に第１の封止部材６１を刺し込めることができる。
【００４２】
第１の刺込部材７１が第１の封止部材６１を刺し込んだ後に、第１の刺込部材７１が再び刺込穴を塞いで精油の流出に影響を及ぼすことを回避するために、第１の刺込部材７１は、刺込ヘッド同士が連結される本体とを備える。ここで、刺込ヘッドの先端部がちくり状をなし、且つ刺込ヘッドの断面の最大幅が本体の断面の最大幅よりも大きい。第１の刺込部材７１が先端部を利用して第１の封止部材６１を刺し込むと、断面積が比較的大きい刺込穴を形成する。第１の刺込部材７１の底部がより狭いため、第１の刺込部材７１の外郭と刺込穴との間に隙間が存在し、チャンバー２は第１の刺込部材７１の外郭において貯液室１１と連通することができる。同様に、第２の刺込部材８１は、第１の刺込部材７１に類似する構造を採用してもよい。
【００４３】
第１の刺込部材７１を上記構造とする上、固定フレーム７または貯油管５の底部に、例えば押さえばねなどのスプリングバック装置を設けてもよい。一実施例において、スプリングバック装置の先端部に貯油管５が載置され、貯油管５が押し下げられてスプリングバック装置を圧縮すると、第１の刺込部材７１は、第１の封止部材６１を刺し込む。貯油管５を解放すると、スプリングバック装置は、貯油管５を連れて上方へ一定距離を移動させることで、貯油管５を第１の刺込部材７１から離脱させ、第１の刺込部材７１が刺込穴を塞ぐことを回避する。
【００４４】
両端がそれぞれ封止された貯油管５を使用したアロマディフューザーは、貯油管５内に精油を予め入れて貯油管５を封止した後に、以下のステップで給油することができる。
【００４５】
ａ．貯液室１１に水を入れる。
【００４６】
ｂ．精油４が収容された貯油管５を固定フレーム７に固定し、天蓋８を本体部１に取り付け、第１の封止部材６１が第１の刺込部材７１を刺し込み、且つ第２の封止部材６２が第２の刺込部材８１を刺し込むようにする。
【００４７】
ここで、貯液室１１における水の水位は、貯油管５の底部と貯油管５の所定の最高油位との間に位置する。
【００４８】
上記方法により、第１の刺込部材７１を用いて第１の封止部材６１を刺し込むとともに、第２の刺込部材８１を用いて第２の封止部材６２を刺し込んだ後に、貯油管５の上端と貯液室１１とが連通し、貯油管５の底端および貯液室１１における液体３が連通し、アロマディフューザーの動作に従い、貯油管５は、貯液室１１内の液体３に持続的に給油することができる。
【００４９】
本実施例において、貯液室１１の最高水位とは貯液室１１中の水の最高領域を意味し、最高水位は貯液室１１のある位置に予め設定され、貯液室１１の該位置に対応するマークを付けてユーザーに提示しもてよい（例えば、図４におけるｍａｘ２の位置に対応する記号を付ける）。最高水位はデフォルト値であってもよく、例えば、最高水位が貯液室１１の先端部の給水口にある。貯液室１１の最低水位は一般的に貯液室１１の底部である。最高油位とは貯油管５内の精油４の最高領域を意味し、最高油位は貯油管５のある位置に予め設定され、貯油管５の該位置に対応するマークを付けてユーザーに提示しもてよい（例えば、図４におけるｍａｘ１の位置に対応する記号を付ける）。最高油位はデフォルト位置であってもよく、例えば、最高油位が貯油管５の端部にある。最低油位は一般的に貯油管５の底部である。貯液室１１の最高水位が貯油管５の底部よりも低ければ、貯油管５中の精油４は完全に貯液室１１の液体３の水面に流れ込み、精油４を貯留することができず、持続給油効果を達成できない。そのため、貯液室１１の最高水位は貯油管５の底部よりも高くなるべきである。貯液室１１の最高水位も貯油管５の最高油位よりも低くなるべきで、貯油管５が精油４を貯留する貯油空間を有することを確保でき、精油４が貯油管５の先端部から溢れることにならない。そのため、実際の使用中に、貯液室１１内に入れされる水の水位は貯油管の底部と最高油位との間に位置すべきである。
【００５０】
本実施例において、貯油管５の底部をできるだけ貯液室１１の最低液位の近傍に設けることにより、貯液室１１における水は少しずつ消耗される過程において貯油管５内の精油４に対する支持をできるだけ維持することができ、安定して持続的な給油が得られる。貯油管５の底部の位置が比較的高ければ、一旦水位が貯油管５よりも低いと、精油４は全て液体３に漏れ、精油の濃度が急激に増大してしまうとともに、後続の精油の濃度が徐々に低下し、安定した濃度を維持することができなくなってしまう。
【００５１】
実施例２
図６および図７に示すように、本実施例は、実施例１に基づいたアロマディフューザーを提供する。本実施例において、貯油管５は、一端のみが第１の封止部材６１で封止され、他端が封止されていない点で実施例１と異なっている。
【００５２】
対応して、貯油管５は、底部のみが封止され、貯油管５の上端と貯液室１１とが連通しているため、固定フレーム７に第１の刺込部材７１を設ければよく、第２の刺込部材８１を設ける必要がない。
【００５３】
底部が封止されている貯油管５は、底部が封止されているため、貯油管５内に精油４を予め入れて、下記ステップで給油してもよい。
【００５４】
ａ．貯液室１１に液体３を入れる。
【００５５】
ｂ．精油４が収容された貯油管５を固定フレーム７に固定し、第１の封止部材６１が第１の刺込部材７１を刺し込むようにする。
【００５６】
ここで、貯液室１１における液体の液位は、貯油管５の底部と貯油管５の所定の最高油位との間に位置する。
【００５７】
関連技術の精油を水面に直接滴下することに比べると、本実施例に係るアロマディフューザーは、上記方法により、第１の刺込部材７１を用いて第１の封止部材６１を刺し込めば、貯液室１１内の液体３に持続的に給油することができる。アロマディフューザーの動作に従い、貯液室１１の液体３はますます霧化されて消耗され、液体３の液面はますます下降し、精油４の底面において、液体３に対する精油４からの圧力が精油４に対する液体３からの圧力よりも大きくなり、精油４の液面もますます下降し、貯油管５の底部に位置する精油４は貯液室１１に流れ込んで液体３と混ざれ、貯液室１１の液体３に安定して持続的に給油することを実現し、液体３中の精油４の濃度の安定を持続的に維持し、霧化されたガス中の精油の濃度の安定を維持し、使用時間の増加に従って精油の濃度が低くなることを回避する。底部が封止された貯油管５を用いたため、精油４を予め貯油管５に収容し、貯油管５を固定フレーム７に直接固定し、第１の刺込部材を用いて第１の封止部材６１を刺し込めばよく、貯油管５に精油を次第に入れる必要がなく、非常に使用しやすい。
【００５８】
第２の封止部材６２および第２の刺込部材７２が設けられず、および対応する使用方法が第１の実施例と異なる以外、アロマディフューザーの他の構造は、基本的に実施例１と一致するため、ここでは説明を省略する。
【００５９】
実施例３
図８に示すように、本実施例は、実施例１に基づいたアロマディフューザーを提供する。本実施例に係るアロマディフューザーにおいて、貯油管５が本体部１に直接連結され、独立して設置される部材ではない点で実施例１と異なっている。一般的には、このような貯油管５が上下貫通し、貯油管５の上端が貯液室１１と連通し、下端が液体３と連通する。本実施例のアロマディフューザーは、使用する前に、以下のステップにより精油４を入れることができる。
【００６０】
ａ．貯液室１１に水を入れる（ここで、貯液室１１中の水の水位が貯油管５の底部と貯油管５の所定の最高油位との間に位置する）。
【００６１】
ｂ．貯油管５内に精油４を入れる。
【００６２】
関連技術の精油を水面に直接滴下することに比べると、本実施例に係るアロマディフューザーは、上記方法により、まず貯油管５内に一定の精油を貯留し、アロマディフューザーの動作に従い、貯液室１１の液体３はますます霧化されて消耗され、液体３の液面はますます下降し、精油４の底面において、液体３に対する精油４からの圧力が精油４に対する液体３からの圧力よりも大きくなり、精油４の液面もますます下降し、貯油管５の底部に位置する精油４は貯液室１１に流れ込んで液体３と混ざれ、貯液室１１の液体３に安定して持続的に給油することを実現し、液体３中の精油４の濃度の安定を持続的に維持し、霧化されたガス中の精油の濃度の安定を維持し、使用時間の増加に従って精油の濃度が低くなることを回避することができる。
【００６３】
本実施例において、貯油管５を本体部１と一体に成形してもよく、貯油管５を単独で形成してから貼り付け、係止または締結具等の方式により本体部１に固定してもよい。
【００６４】
貯油管５の構造は、様々な形態であってもよく、図１に示す中空柱形に設計する以外、図９に示すように、貯油管５が漏斗形に設置されてもよい。漏斗形の貯油管５の先端部が本体部１の天壁と連結され、漏斗形の貯油管５の底部が導管等により貯液室１１の底部に挿入される。要するに、貯油管５の底部が貯液室１１と連通すればよい。本実施例において、貯油管５が貯液室１１内に位置し、アロマディフューザーを一体に維持する。一実施例において、貯油管５を貯液室１１外に設けてもよい。例えば、図９に示す漏斗形の貯油管５を貯液室１１の外部に設け、貯油管５の底部を貯液室１１内に進入させ、または本体部１の側部から穴を開け、側部の穴により貯油管５の底部と貯液室１１とを連通してもよい。
【００６５】
本実施例において、本体部１は、貯液室１１の上方に対応の給水口および精油入れ口が開設され、精油入れ口は貯油管５に対応し、給水口および精油入れ口によって、貯液室１１における液体上方の空気と貯油管５における精油上方の空気とが連通することで、液体の液面および精油の液面に対する空気からの圧力が同一である。精油を入れる時に、この精油入れ口から貯油管５内に精油を入れることができる。また、本体部１に対応する精油貯留タンクを予め設置し、精油貯留タンクの底部を、通路を介して貯油管５の先端部に連通させ、且つ通路に対応するスイッチを設けてもよい。精油貯留タンクに一定の精油を予め入れてからスイッチを開き、スイッチの開閉度合いを制御することにより精油４を内に徐々に入れ、ユーザーが貯油管５内に精油４を持続的に入れる必要はない。
【００６６】
要するに、本出願に係るアロマディフューザーは、貯油管５を用いて一定量の精油を貯留し、アロマディフューザーが正常に動作している場合、貯油管５の底部と貯液室１１とが連通し、精油４と液体３の相溶性が悪いことおよび液体３の密度がより高いという特徴を利用することで、精油４を貯油管５に収容することを維持できる。液体３の液面に対する空気からの圧力と精油４の液面に対する空気からの圧力とが同一であり、アロマディフューザーの動作に従い、貯液室１１の液体３はますます霧化されて消耗され、液面はますます下降し、精油４の底面において、液体３に対する精油４からの圧力が精油４に対する液体３からの圧力よりも大きくなり、精油４の液面もますます下降し、貯油管５の底部に位置する精油４は貯液室１１に流れ込んで液体３と混ざれ、貯液室１１の液体３に持続的に給油することを実現する。
【００６７】
関連技術の精油を水面に直接滴下することに比べると、本実施例のアロマディフューザーは、貯液室１１の液体３に安定して持続的に給油することができ、アロマディフューザーの使用中に、液体３中の精油４の濃度の安定を持続的に維持し、霧化されたガス中の精油の濃度の安定を維持し、使用時間の増加に従って精油の濃度が低くなることを回避する。
【００６８】
以上の内容は、本出願の実施例に過ぎず、本明細書の内容は本出願を制限するものとして理解すべきではない。
【図１】
0006737911.tif 000002
【図２】
0006737911.tif 000003
【図３】
0006737911.tif 000004
【図４】
0006737911.tif 000005
【図５】
0006737911.tif 000006
【図６】
0006737911.tif 000007
【図７】
0006737911.tif 000008
【図８】
0006737911.tif 000009
【図９】
0006737911.tif 000010